【手続補正書】
【提出日】平成22年8月3日(2010.8.3)
【手続補正１】
【補正対象書類名】特許請求の範囲
【補正対象項目名】全文
【補正方法】変更
【補正の内容】
【特許請求の範囲】
【請求項１】
オレフィン重合用リアクタ内に液体触媒、触媒スラリ、又はそれらの混合物を射出するために有益なノズルであって、
胴部と、テーパーセクションと、射出先端と、を含む第１導管と、
内面及び外面を有し、前記第１導管を周囲に配置することにより第１導管との間に第１環状部を画定する第２導管と、
第１導管の外面の周囲に少なくとも部分的に配置されることにより前記外面との間に第２環状部を画定し、収斂する外面を第１端部位置に有する支持部材と、
を含むノズル。
【請求項２】
第１導管の胴部を第２導管の周囲に配置した請求項１のノズル。
【請求項３】
第１導管の射出先端の外面が収斂する請求項１又は２のノズル。
【請求項４】
射出先端の内面が一定のものである請求項１〜３の何れかのノズル。
【請求項５】
射出先端の内面が、射出先端を貫く流路を画定する請求項４のノズル。
【請求項６】
第１導管の射出先端のテーパセクションの内面が射出先端に向けて収斂する請求項１〜５の何れかのノズル。
【請求項７】
第１導管の胴部の内面が一定のものである請求項１〜６の何れかのノズル。
【請求項８】
第２導管が、開放した第１端部と、閉じた第２端部とを有する請求項１〜７の何れかのノズル。
【請求項９】
第２導管が、該第２導管の半径方向及び軸方向に隔置した複数のオリフィスを含む請求項１〜８の何れかのノズル。
【請求項１０】
第２導管が、該第２導管の周囲に螺旋状に配置され且つ第１ラインに沿って軸方向に隔置した複数のオリフィスを含む請求項１〜９の何れかのノズル。
【請求項１１】
第２導管が、第１ラインに沿って軸方向に隔置した複数のオリフィスと、第２ラインに
沿って軸方向に隔置した複数のオリフィスとを含み、第１ライン及び第２ラインが、該第
１ライン及び第２ラインにおいて相当する各軸方向のオリフィスが半径方向に隔置されるように第２導管の周囲に螺旋状に配置した請求項１〜１０の何れかのノズル。
【請求項１２】
第１導管の少なくとも一部分が支持部材の収斂する外面を超えて伸延する請求項１〜１１の何れかのノズル。
【請求項１３】
第１導管のテーパーセクションが支持部材の収斂する外面を超えて伸延する請求項１〜１２の何れかのノズル。
【請求項１４】
第１導管の射出先端が支持部材の収斂する外面を超えて伸延する請求項１〜１３の何れかのノズル。
【請求項１５】
第２導管の閉じた端部が支持部材の収斂する外面を超えて伸延する請求項８のノズル。
【請求項１６】
第２環状部内に配置した１つ以上の半径方向スぺーサを更に含む請求項１〜１５の何れかのノズル。
【請求項１７】
１つ以上のスぺーサが、支持部材の内面の周囲に等間隔に配置した３つ以上のスぺーサを含む請求項１６のノズル。
【請求項１８】
第１導管及び第２導管の少なくとも一部分が支持部材の収斂する外面を超えて伸延する請求項１〜１７の何れかのノズル。
【請求項１９】
気相重合リアクタ内に触媒を射出する方法であって、
１つ以上のノズルにして、少なくとも１つのノズルが、
胴部と、テーパーセクションと、射出先端と、を含む第１導管と、
内面及び外面を有し、前記第１導管を周囲に配置することにより第１導管との間に第１環状部を画定する第２導管と、
第１導管の外面の周囲に少なくとも部分的に配置されることにより前記外面との間に第２環状部を画定し、収斂する外面を第１端部位置に有する支持部材と、
を含むノズルをリアクタに設けること、
第１環状部を通して触媒スラリを流動させてリアクタに流入させること、
第２環状部を通して１つ以上のモノマーを流動させてリアクタに流入させること、
第２導管の環状部を通して１つ以上の不活性ガスを流動させて第１環状部内とリアクタ内とに流入させること、
を含む方法。
【請求項２０】
触媒スラリが１つ以上の触媒微粒子と１つ以上の液体とを含む請求項１９の方法。
【請求項２１】
触媒スラリが、Ｚｉｅｇｌｅｒ−Ｎａｔｔａ触媒、クロムベースの触媒、メタロセン触
媒、１５族元素含有触媒、二元金族触媒、及びそれらの混合触媒、からなる群から選択した１つ以上の触媒を含む請求項１９及び２０の何れかの方法。
【請求項２２】
触媒スラリが１５族元素含有触媒を１つ以上含む請求項１９〜２１の何れかの方法。
【請求項２３】
触媒スラリが、４族元素イミノフェノール錯体と、４族元素ビス（アミド）錯体と、４
族元素ピリジルアミド錯体と、からなる群から選択した１つ以上の触媒成分を含む請求項１９〜２２の何れかの方法。
【請求項２４】
第２環状部を通過する１つ以上のモノマーの流量が４５５ｋｇ／時〜２２７３ｋｇ／時
である請求項１９〜２３の何れかの方法。
【請求項２５】
第１環状部を通過する１つ以上のモノマーの流量が１．４ｋｇ／時〜１４ｋｇ／時であ
る請求項１９〜２４の何れかの方法。
【請求項２６】
第１環状部内で１つ以上の不活性ガスと触媒スラリとを混合することを更に含む請求項１９〜２５の何れかの方法。
【請求項２７】
第１導管の射出先端を通して１つ以上の不活性ガスと触媒スラリとの混合物を流動させてリアクタに流入させることを更に含む請求項１９〜２６の何れかの方法。
【請求項２８】
リアクタ内の１つ以上の不活性ガスと触媒スラリとの混合物を、第２環状部を通して流動する１つ以上のモノマーと共に噴霧することを更に含む請求項１９〜２７の何れかの方法。
【手続補正２】
【補正対象書類名】明細書
【補正対象項目名】００１８
【補正方法】変更
【補正の内容】
【００１８】
第２導管１４０：
図３には図１に示した第２導管１４０の略側面図が示される。１つ以上の実施例において、第２導管１４０は、閉鎖した第１端部１４０Ａと、開放した第２端部１４０Ｂとを有し、第２端部１４０Ｂが第２導管１４０の第１環状部１８７（図１）を通して流れる１つ以上の流体を受けるよう構成を有し得る。第１端部１４０Ａは、半球形先端状に溶接して閉じることが好ましい。第２導管を管状又は環状とした好ましい実施例では、第２導管１４０は０．１５９ｃｍ〜１．２７ｃｍ（約１／１６ｉｎ〜約１／２ｉｎ）、好ましくは０．２１５９ｃｍ〜０．６３５ｃｍ（約０．０８５ｉｎ〜約１／４ｉｎ）の範囲の内径を有し得る。
【手続補正３】
【補正対象書類名】明細書
【補正対象項目名】００２３
【補正方法】変更
【補正の内容】
【００２３】
１つ以上の実施例において、所定ライン上の各オリフィス１４５は寸法形状が同じであり得、形状寸法が異なるものであり得る。１つ以上の実施例において、所定ライン上の各オリフィス１４５は１つ以上の異なるラインにおける各オリフィス１４５と形状寸法が同じであり得、形状寸法が異なるものであり得る。
第２導管１４０の穴開け部分は長手方向の約０．５ｃｍ〜２５ｃｍの範囲であり得るが、第２導管１４０の最後の約１〜２ｃｍ（即ち、第１端部１４０Ａから）の部分とすることが好ましい。
【手続補正４】
【補正対象書類名】明細書
【補正対象項目名】００２４
【補正方法】変更
【補正の内容】
【００２４】
第１導管１２０に関し、第１端部１４０Ａが第１導管１２０の小先端１２１（“噴霧先端”）から７．６２ｃｍ（約３ｉｎ）未満の位置に位置決めされるように第２導管１４０を位置決めし得る。１つ以上の実施例において、第２導管１４０の第１端部１４０Ａを、第１導管１２０の噴霧先端１２１から１．２７ｃｍ〜７．６２ｃｍ（約０．５ｉｎ〜約３ｉｎ）に位置決めし得、他の実施例では１．２７ｃｍ〜３．８１ｃｍ（約０．５ｉｎ〜約１．５ｉｎ）に位置決めし得、他の実施例では１．２７ｃｍ〜２．５４ｃｍ（約０．５ｉｎ〜約１ｉｎ）に位置決めし得る。
【手続補正５】
【補正対象書類名】明細書
【補正対象項目名】００３１
【補正方法】変更
【補正の内容】
【００３１】
上述したように、第１導管１２０は、第１導管１２０の先端１２１が第２導管１４０の第１端部１４０Ａから７．６ｃｍ（約３ｉｎ）又は其れ未満の長さにおいて伸延するように位置決めし得るが、他の実施例では第１導管１２０の先端１２１が第２導管１４０の第１端部１４０Ａから１．２７ｃｍ〜７．６２ｃｍ（約０．５ｉｎ〜３ｉｎ）の長さにおいて伸延するように位置決めし得、他の実施例では同じく１．２７ｃｍ〜３．８１ｃｍ（約０．５ｉｎ〜１．５ｉｎ）の長さにおいて伸延するように位置決めし得、他の実施例では第１導管１２０の先端１２１が第２導管１４０の第１端部１４０Ａから１．２７ｃｍ〜２．５４ｃｍ（約０．５ｉｎ〜１ｉｎ）の長さにおいて伸延するように位置決めし得る。